(57)【要約】【課題】  質感が人肌に近く、色調も人の肌色に近く、顧客の肌色に合致した化粧品を容易かつ迅速に選定でき、さらに、化粧品を使用した場合の効果を容易に確認することができる肌色判定スケールを提供する。【解決手段】  着色片支持板２と、この着色片支持板２に着脱自在に装着される複数の肌色着色片３と、から肌色判定スケール１を構成する。着色片支持板２に着色片装着凹部２１を形成し、この着色片装着凹部２１に複数の嵌合穴部２２を形成する。肌色着色片３に係止突部３１及び嵌合突部３２を形成する。着色片装着凹部２１の嵌合穴部２２に肌色着色片３の嵌合突部３２を嵌合させると共に、肌色着色片３の係止突部３１を着色片装着凹部２１の側端に係止させて、着色片支持板２に複数の肌色着色片３を装着する。【選択図】          図１
2005291975.tif 000002
【特許請求の範囲】
【請求項１】
着色片支持板と、この着色片支持板に着脱自在に装着される複数の肌色着色片と、から構成される肌色判定スケール。
【請求項２】
前記着色片支持板に着色片装着凹部を形成し、この着色片装着凹部に複数の嵌合穴部を形成すると共に、前記肌色着色片に係止突部及び嵌合突部を形成し、前記着色片装着凹部の嵌合穴部に前記肌色着色片の嵌合突部を嵌合させると共に、前記肌色着色片の係止突部を前記着色片装着凹部の側端に係止させて、前記着色片支持板に複数の肌色着色片を装着することを特徴とする請求項１に記載の肌色判定スケール。
【請求項３】
前記肌色着色片は、合成樹脂から成る板材を耐光性に優れた顔料によって肌色に着色し、その表面部に極めて微小な凹凸を形成したものであることを特徴とする請求項１又は２に記載の肌色判定スケール。
【請求項４】
前記着色片支持板に、複数の前記肌色着色片を肌色の色調が漸次変化するように配列したことを特徴とする請求項１乃至３に記載の肌色判定スケール。
【発明の詳細な説明】
【技術分野】
【０００１】
本発明は、化粧品の色調を特定個人の肌色に合致させるために使用する肌色判定スケールに関する。
【背景技術】
【０００２】
従来、ファンデーション、口紅、アイシャドー等の化粧品を販売する際、用紙に印刷した肌色見本又はフィルムに着色した肌色色票を使用し、顧客の肌色をそれら肌色見本、肌色色票と照合させ、顧客の肌色に近似した肌色見本、肌色色票を抽出して、それに合致した色調の化粧品を選定、販売していた。
【０００３】
又、特許文献１に開示されるように、肌色に寄与する色素成分を高精度に計測して、被験者の肌色を測定する肌色測定装置も提案されている。
【０００４】
【特許文献１】特開２００２−２０００５０号公報
【発明の開示】
【発明が解決しようとする課題】
【０００５】
しかし、上記肌色見本及び肌色色票は、用紙、フィルム等の平滑なシート部材に印刷又は着色されており、それら表面を汚損、損傷等から保護するためにコーティング加工等してあるため、それらの質感は明らかに人肌とは異なり、又、印刷又は着色された肌色の色調は人の肌色とは微妙に異なるものであった。
【０００６】
又、上記肌色測定装置は、比較的高価である上、操作方法に習熟する必要があり、メンテナンス等も考慮しければならなかった。
【０００７】
さらに、上記肌色見本、肌色色票及び肌色測定装置では、ファンデーション、口紅、アイシャドー等の化粧品を使用した場合の効果を確認することはできなかった。
【０００８】
本発明は、かかる従来の問題点を解決するべく為されたものであって、極めて安価であって、誰にでも簡単に取り扱うことができ、その質感が人肌に近く、色調も人の肌色に近く、よって、顧客の肌色に合致した化粧品を容易かつ迅速に選定でき、さらに、化粧品を使用した場合の効果を容易に確認することができる肌色判定スケールを提供することを目的とする。
【課題を解決するための手段】
【０００９】
上記目的を達成するために、本発明は、着色片支持板と、この着色片支持板に着脱自在に装着される複数の肌色着色片と、から肌色判定スケールを構成したものである。
【００１０】
ここで、前記着色片支持板に着色片装着凹部を形成し、この着色片装着凹部に複数の嵌合穴部を形成すると共に、前記肌色着色片に係止突部及び嵌合突部を形成し、前記着色片装着凹部の嵌合穴部に前記肌色着色片の嵌合突部を嵌合させると共に、前記肌色着色片の係止突部を前記着色片装着凹部の側端に係止させて、前記着色片支持板に複数の肌色着色片を装着するようにしてもよい。
【００１１】
前記肌色着色片は、合成樹脂から成る板材を耐光性に優れた顔料によって肌色に着色し、その表面部に極めて微小な凹凸を形成したものであることを特徴とする。
【００１２】
前記着色片支持板には、複数の前記肌色着色片を肌色の色調が漸次変化するように配列するのが好ましい。
【発明を実施するための最良の形態】
【００１３】
以下、本発明の肌色判定スケールの好適な実施形態について、図面を参照して具体的に説明する。
図１は、本発明の肌色判定スケールの（Ａ）は正面図、（Ｂ）は右側面図、（Ｃ）は背面図、（Ｄ）はI−I線断面図、図２は、着色片支持板の（Ａ）は正面図、（Ｂ）は右側面図、（Ｃ）はII−II線断面図、図３は、肌色着色片の（Ａ）は正面図、（Ｂ）は左側面図、（Ｃ）は底面図である。
【００１４】
本発明の肌色判定スケール１は、図１乃至図３に示すように、着色片支持板２と複数の肌色着色片３とから構成される。
【００１５】
着色片支持板２は、図２に示すように、ＡＢＳ樹脂、ポリエステル樹脂等の合成樹脂から成形された、長さ１４５ｍｍ、幅３１ｍｍ、厚さ２．５ｍｍ程度の櫛状を呈する板材である。
【００１６】
着色片支持板２の櫛歯に相当する部分には、長さ１００ｍｍ、幅２４ｍｍ、深さ１．２ｍｍ程度の平坦な着色片装着凹部２１を形成してあり、着色片装着凹部２１の右端は着色片支持板２の右端より１ｍｍ程度内側に位置させてある。
又、着色片装着凹部２１には、所定間隔で直径２ｍｍ、深さ０．４ｍｍ程度の嵌合穴部２２を複数形成してある。
【００１７】
着色片支持板２の一端部は把持部２３としてあり、把持部２３には直径１６ｍｍ、深さ０．５ｍｍ程度の指置き凹部２４を形成してある。
【００１８】
肌色着色片３は、図３に示すように、ＡＢＳ樹脂、ポリエステル樹脂等の合成樹脂から成形された、縦２０ｍｍ、横２５ｍｍ、厚さ１．２ｍｍ程度の矩形状板材である。
肌色着色片３の一側部には、下方に１．２ｍｍ程度突出させた係止突部３１を形成してあり、裏面部には、四隅部に下方に０．４ｍｍ程度突出させた嵌合突部３２を形成してある。
【００１９】
肌色着色片３は、耐光性に優れた顔料によって肌色に着色したものであり、着色片支持板２に装着する複数の肌色着色片３ａ，３ｂ，３ｃ，３ｄ，３ｅについて、肌色の色調が漸次変化するように着色してある。
肌色着色片３の表面部には、極めて微小な凹凸を形成したことによって、人肌に近い質感となっている。ここで、極めて微小な凹凸は、表面粗さＲａ１〜１００μｍ程度が好ましい。又、微小な凹凸を形成したことによって、肌色着色片３の表面部は化粧品を塗布し易くなっている。
【００２０】
本発明の肌色判定スケール１は、図１に示すように、着色片支持板２の着色片装着凹部２１に複数の肌色着色片３ａ，３ｂ，３ｃ，３ｄ，３ｅを肌色の色調が漸次変化するように配列し、装着するようになっている。
ここで、着色片装着凹部２１に肌色着色片３を装着するには、着色片装着凹部２１の嵌合穴部２２に肌色着色片３の嵌合突部３２を嵌合させると共に、に肌色着色片３の係止突部３１を着色片装着凹部２１の右端に係止させて装着する。
【００２１】
肌色判定スケール１の使用時には、販売員は、着色片支持板２の把持部２３に形成された指置き凹部２４に親指を置き、把持部２３を手指で把持して、顧客の顔等に肌色判定スケール１を近づけて照合させる。そして、顧客の肌色に最も近い色調の肌色着色片３ｘを抽出して、それに合致した色調の化粧品を顧客に選定、販売するようにする。
【００２２】
この際、本発明の肌色判定スケール１は、肌色着色片３の質感が人肌に近く、色調も人の肌色に近いから、顧客の肌色と肌色着色片３とを違和感なく照合することができ、従来の肌色見本、肌色色票とは異なって、顧客の肌色に最も近い色調の肌色着色片３を容易に抽出することができる。よって、顧客の肌色に合致した化粧品を容易かつ迅速に選定することができる。
【００２３】
又、本発明の肌色判定スケール１は、肌色着色片３の表面部は化粧品を塗布し易くなっているから、顧客の肌色に最も近い色調の肌色着色片３を抽出し、その肌色着色片３を着色片支持板２から離脱させて、実際に化粧品を塗布することによって、顧客の顔等に化粧品を実際に塗布することなく、販売員のみならず顧客自身も、化粧品を使用した場合の効果を容易に確認することができる。
【００２４】
さらに、本発明の肌色判定スケール１は、合成樹脂を成形した着色片支持板２及び肌色着色片３とから構成されるものであるから、極めて安価であり、誰にでも簡単に取り扱うことができ、メンテナンス等も必要がない。
【００２５】
又、色調の相違する種々肌色を着色した肌色着色片３を配列した肌色判定スケール１を複数用意しておくことによって、種々顧客の肌色に迅速に対応することができ、より効率的に肌色の判定をすることができる。
【００２６】
尚、上記実施例においては、着色片支持板２に着色片装着凹部２１を形成し、着色片装着凹部２１に嵌合穴部２２を形成すると共に、肌色着色片３に係止突部３１及び嵌合突部３２を形成したが、着色片装着凹部２１に金属板を埋め込み、肌色着色片３の裏面部に薄肉の磁石シートを固着させ、肌色着色片３を磁気力によって装着するようにしてもよい。
【図面の簡単な説明】
【００２７】
【図１】本発明の肌色判定スケールの（Ａ）は正面図、（Ｂ）は右側面図、（Ｃ）は背面図、（Ｄ）はI−I線断面図である。
【図２】着色片支持板の（Ａ）は正面図、（Ｂ）は右側面図、（Ｃ）はII−II線断面図である。
【図３】肌色着色片の（Ａ）は正面図、（Ｂ）は左側面図、（Ｃ）は底面図である。
【符号の説明】
【００２８】
１    肌色判定スケール
２    着色片支持板
２１  着色片装着凹部
２２  嵌合穴部
３    肌色着色片
３１  係止突部
３２  嵌合突部
【図１】
2005291975.tif 000003
【図２】
2005291975.tif 000004
【図３】
2005291975.tif 000005